【手続補正書】
【提出日】平成17年11月4日(2005.11.4)
【手続補正１】
【補正対象書類名】特許請求の範囲
【補正対象項目名】全文
【補正方法】変更
【補正の内容】
【特許請求の範囲】
【請求項１】
外科用器具であって、
基端および患者に外科的処置を施すようになされた先端と、
前記器具の前記基端から前記先端に向かって液体を誘導するように構成されかつ位置決めされた圧力内腔管と、
前記圧力内腔管に流体連通し、前記液体が通過するとき液体ジェットを形成するように成形されているノズルと、
深さと長さを有する流路であって、前記長さは前記流路の長手軸に沿って画定され、前記流路は、当該流路の前記長さの少なくとも一部に沿って延在し周囲環境に対して開口する長手延伸開口部を含む、流路と、を備え、
前記液体ジェットの少なくとも一部が、前記器具の操作時に、前記流路の前記長手延伸開口部の少なくとも一部の長さに隣接し、その外部で、かつそれに沿って通過するように、前記流路が前記ノズルに隣接しかつ前記ノズルの下流側に位置決めされている、外科用器具。
【請求項２】
外科用器具であって、
基端および患者に外科的処置を施すようになされた先端と、
前記器具の前記基端から前記先端に向かって液体を誘導するように構成されかつ位置決めされた圧力内腔管と、
前記圧力内腔管に流体連通し、前記液体が通過するとき液体ジェットを形成するように成形されているノズルと、
深さと長さを有する細長い流路であって、前記長さは前記流路の長手軸に沿って測定され、前記流路は、当該流路の前記長さの少なくとも一部に沿って延在し周囲環境に対して開口する長手延伸開口部を含み、前記長手延伸開口部は前記流路の前記長さに沿って測定した合計有効長さと前記流路の前記長手軸に直交する方向で測定した幅とを有する、細長い流路と、を備え、
前記液体ジェットの少なくとも一部が、前記器具の操作時に、前記流路の内部を通過する様態と、前記流路の前記長手延伸開口部の少なくとも一部の長さに隣接しかつそれに沿って通過する様態との少なくとも一方の様態で通過するように、前記流路が前記ノズルに隣接しかつその下流側に位置決めされており、さらに、
前記長手延伸開口部の前記合計有効長さが、前記長手延伸開口部の最大幅よりも少なくとも約４倍を超える、外科用器具。
【請求項３】
外科用器具であって、
基端および患者に外科的処置を施すようになされた先端と、
前記器具の前記基端から前記先端に向かって液体を誘導するように構成されかつ位置決めされた圧力内腔管と、
前記圧力内腔管に流体連通し、前記液体が通過するときに液体ジェットを形成するように成形されているノズルと、
深さと長さを有する流路であって、前記長さは前記流路の長手軸に沿って画定され、前記流路は、当該流路の前記長さの少なくとも一部に沿って延在し周囲環境に対して開口する長手延伸開口部を含む組織接触部分を有する、流路と、を備え、
前記流路は、前記流路の前記組織接触部分の前記長手延伸開口部が閉塞されるとき、前記流路の内部領域と前記周囲環境との間を流体連通するように構成されかつ位置決めされている少なくとも１つの排出口を含み、さらに、
前記器具の操作時に、前記液体ジェットの少なくとも一部が、前記流路の内部を通過する様態と、前記流路の前記長手延伸開口部の少なくとも一部の長さに隣接しかつそれに沿って通過する様態との少なくとも一方の様態で通過するように、前記流路が前記ノズルに隣接しかつ前記ノズルの下流側に位置決めされている、外科用器具。
【請求項４】
外科用器具であって、
基端および患者に外科的処置を施すようになされた先端と、
前記器具の前記基端から前記先端に向かって液体を誘導するように構成されかつ位置決めされた圧力内腔管と、
前記圧力内腔管に流体連通して前記液体が通過するとき液体ジェットを形成するように成形されているノズルと、
深さと長さを有する流路であって、前記長さは前記流路の長手軸に沿って画定され、前記流路は、当該流路の前記長さの少なくとも一部に沿って延在し周囲環境に対して開口する長手延伸開口部を含む、流路と、を備え、
前記器具の操作時に、前記ノズルによって形成された前記液体ジェットが、同一の器具であるが前記流路を含まない器具によって形成される液体ジェットよりも、前記流路の長さに沿って少なく分散されるように、前記流路の形状、前記ノズルに対する前記流路の位置、および前記流路の寸法の少なくとも１つが選択される、外科用器具。
【請求項５】
前記器具の操作時に、前記液体ジェットの少なくとも一部が前記流路の内部を通過するように、前記流路が前記ノズルに隣接しかつ前記ノズルの下流に位置決めされる、請求項１、２、３、又は４の何れか一項に記載の外科用器具。
【請求項６】
前記器具の操作時に、前記液体ジェットの少なくとも一部が前記流路の前記長手延伸開口部の本質的に全長に隣接し、その外部で、かつそれに沿って通過するように、前記流路が前記ノズルに隣接しかつ前記ノズルの下流に位置決めされる、請求項１、３、又は４の何れか一項に記載の外科用器具。
【請求項７】
前記器具が、前記流路の前記長手延伸開口部の少なくとも一部に隣接する組織接触表面を含み、前記流路の前記長手延伸開口部が閉塞されたとき、前記流路が、前記流路の内部領域と前記周囲環境との間を流体連通するように構成されかつ位置決めされた少なくとも１つの排出口をさらに含む、請求項１、２、４、５、又は６の何れか一項に記載の外科用器具。
【請求項８】
前記器具の操作時に、前記ノズルによって形成された前記液体ジェットが、同一の器具であるが前記流路を含まない器具によって形成された液体ジェットよりも、その長さに沿って少なく分散されるように、前記流路の形状、前記ノズルに対する前記流路の位置、および前記流路の寸法の少なくとも１つが選択される、請求項１、２、３、５、６、又は７の何れか一項に記載の外科用器具。
【請求項９】
前記器具の操作時に、前記ノズルから発せられた前記液体ジェットを含む前記液体によって前記組織を切断および／または切除する望ましい深さを実現するために、前記ノズルの中心線と、前記流路の最深内部表面及び前記流路の前記長手延伸開口部を含む組織接触部分の少なくとも一方と、の間に選択分離距離を設ける位置に前記ノズルが位置決めされる、請求項１乃至８の何れか一項に記載の外科用器具。
【請求項１０】
前記ノズルの前記中心線と、前記流路の最深内部表面及び前記流路の前記組織接触部分の少なくとも一方と、の間の前記選択分離距離が、前記外科用器具の操作者によって調整可能である、請求項９に記載の外科用器具。
【請求項１１】
前記器具の操作時に、前記長手延伸開口部が処置すべき組織に隣接しかつ前記組織に接触するとき、前記長手延伸開口部の前記形状とサイズが、前記組織の切断および／または切除の面積を画定する、請求項１乃至９の何れか一項に記載の外科用器具。
【請求項１２】
前記流路の前記長手軸に直交する平面内で、前記長手延伸開口部の前記幅と、前記細長い流路の断面形状との少なくとも一方が、前記外科用器具の操作者によって調整可能である、請求項１乃至１０の何れか一項に記載の外科用器具。
【請求項１３】
前記ノズルのジェット開口に対向して位置し、また前記細長い流路に隣接しかつその下流側に位置するジェット受け口を含む排出内腔管をさらに備え、前記排出内腔管は、前記器具の操作時に、当該排出内腔管が前記ノズルによって形成された前記液体ジェットを含む液体を回収できるように作製されかつ位置決めされている、請求項１乃至１２の何れか一項に記載の外科用器具。
【請求項１４】
外部吸引源を必要としないで、前記排出内腔管が、前記液体ジェットを含む前記液体の本質的に全てを、前記ジェット受け口から前記器具の前記基端へ排出できるように成形されかつ位置決め可能である、請求項１３に記載の外科用器具。
【請求項１５】
最初に前記液体ジェットが、前記流路の前記長手延伸開口部の第１部分に隣接しかつその外部を通過し、次いで前記第１部分の下流で前記流路の内部を通過するように、前記流路が前記ノズルに隣接しかつ前記ノズルの下流側に位置決めされる、請求項１乃至６の何れか一項に記載の外科用器具。
【請求項１６】
前記少なくとも１つの排出口が、前記流路の上流端の１つの入口開口と、前記流路の前記長さに沿った箇所に位置決めされた排出穴と、前記流路の前記組織接触部分の組織接触表面内の１つの凹部との少なくとも１つを備える、請求項３又は７に記載の外科用器具。
【請求項１７】
前記少なくとも１つの排出口の合計断面積は、前記流路の前記長手延伸開口部の合計面積の、約２％から約１５０％の間、好ましくは約２％から約４０％の間、さらに好ましくは約２％から約１０％の間である、請求項１６に記載の外科用器具。
【請求項１８】
前記少なくとも１つの排出口の合計開口面積は、随意選択的に手術中に、前記外科用器具の操作者によって、調整可能である、請求項１７に記載の外科用器具。
【請求項１９】
前記少なくとも１つの排出口の合計開口面積が、前記器具の操作時に、前記流路の前記内部領域の内部に存在する吸引水準に基づいて自動的に調整可能であるように構成されている、請求項１７に記載の外科用器具。
【請求項２０】
液体流によって患者の組織を処置するための液体ジェット外科用器具を作製する方法において、
前記器具の液体ジェット形成ノズルに隣接しかつ当該ノズルの下流側に流路を提供する工程であって、前記流路は当該流路の長手軸に沿って測定した長さを有し、前記流路は当該流路の前記長さの少なくとも一部に沿って延在する周囲環境に対して開口する長手延伸開口部を有する組織接触部分を含み、前記長手延伸開口部と前記流路の最深内部表面との間の最短距離が前記流路の深さを画定する、流路を提供する工程と、
前記器具の操作時に、前記ノズルから発せられた前記液体によって組織を切断および／または切除する望ましい深さを実現するために、前記ノズルの中心線と、前記流路の最深内部表面及び前記流路の前記組織接触部分の少なくとも一方と、の間で選択された分離距離が得られる位置に前記ノズルを位置決めする工程と、を含む方法。
【請求項２１】
前記位置決めする工程において、前記器具の操作時に、前記ノズルから放出された前記液体による前記組織の切断および／または切除の深さが零ではないことを実現するように、前記ノズルが位置決めされる、請求項２０に記載の方法。
【請求項２２】
前記位置決めする工程において、前記ノズルの前記中心線と前記流路の前記組織接触部分との間で、前記選択された分離距離に本質的に等しい切断深さを実現するように、前記ノズルが位置決めされる、請求項２０に記載の方法。
【請求項２３】
前記位置決めする工程において、前記組織の切断および／切除の前記深さが本質的に零であり、その結果、前記組織の実質的な切断および／または切除を伴わずに前記組織の洗浄および灌注が行えるように、前記ノズルが位置決めされる、請求項２０に記載の方法。
【請求項２４】
前記位置決めする工程において、前記器具の操作時に、前記液体ジェットが前記流路の内部を通過するように、前記ノズルの前記中心線と前記流路の最深内部表面との間の前記選択された分離距離が、前記流路の前記組織接触部分と前記流路の前記最深内部表面との間の分離距離よりも短いように、前記ノズルが位置決めされる、請求項２３に記載の方法。
【請求項２５】
液体ジェット外科用器具の液体ジェットの分散を減少させる方法であって、
前記器具の液体ジェット形成ノズルに隣接しかつその下流側に流路を提供する工程であって、前記流路は当該流路の長手軸に沿って測定した長さを有し、前記流路は当該流路の前記長さの少なくとも一部に沿って延在する周囲環境に対して開口する長手延伸開口部を有する組織接触部分を含む、流路を提供する工程と、
液体ジェットが、前記流路の内部を通過する様態と、前記流路の前記長手延伸開口部の少なくとも一部の長さに隣接しかつそれに沿って通過する様態との少なくとも一方の様態で通過するように、前記液体ジェットを向けるために前記ノズルを位置決めする工程と、を含む方法。
【手続補正２】
【補正対象書類名】明細書
【補正対象項目名】発明の名称
【補正方法】変更
【補正の内容】
【発明の名称】液体ジェット外科用器具、これを作製する方法、及び液体ジェットの分散を減少させる方法